(57)【要約】      （修正有）【課題】金属が、直接肌に触れることがなく、仮に、当該装身具が手首乃至足首に直接肌に接触しても皮膚炎などの症状が現れるおそれのない磁気装身具の提供。【解決手段】ブレスレット乃至アンクレットにして、その成分組成がサマリウムコバルト系乃至フェライト系若しくは希土類プラス、フェライトのハイブリット磁石を特徴とする組成体をリング状に成型し、その芯方向と直交する方向であって、磁極の配列が芯と平行に直線状乃至軸を中心に螺旋状になるように着磁したことを特徴とする、シリコンゴムリング状磁気装身具。【選択図】図１
0003111761.tif 000002
【実用新案登録請求の範囲】
【請求項１】
本考案は、ブレスレット乃至アンクレットにして、その成分組成がサマリウムコバルト系乃至フェライト系若しくは希土類プラス、フェライトのハイブリット磁石を特徴とする組成体をリング状に成型し、その芯方向と直交する方向であって、磁極の配列が芯と平行に直線状乃至軸を中心に螺旋状になるように着磁したことを特徴とする、シリコンゴムリング状磁気装身具。
【請求項２】
本考案は、シリコンゴムをリング状にして、その成分組成がシリコンゴムを１００重量％に対し無機ゲルマニウム乃至ラジウム乃至トリウムほかセレニウム、の何れか１つ以上の成分組成からなる微量放射生物質を５〜２５％、ボロン１〜５％が含まれていることを特徴とする、請求項１のリング状磁気装身具。
【請求項３】
本考案は、シリコンゴムをリング状にして、組成体の持つ磁束密度がリング状の表面に於いて約１０〜１００ｍＴ乃至放射線量約５００〜３０００粒放射することを特徴とする、請求項２のリング状磁気装身具。
【請求項４】
本考案は、シリコンゴムをリング状にして、その成分組成がトルマリン微細パウダーを添加し遠赤外線効果を得たことを特徴とする、請求項２のリング状機能性イオン乃至磁気装身具。
【考案の詳細な説明】
【技術分野】
【０００１】  本考案は、微量放射線ホルミシス乃至ネガティブイオン乃至遠赤外線を応用した、健康増進機能および恒常性維持機能を有する製品とリング状健康磁気装身具に関する。
【背景技術】
【０００２】  従前より、磁石を応用した健康磁気装身具は多数存在するが、いずれも球状乃至多面体の固体磁石などを適当な方法で、例えば多数の連結部材で繋ぎ合わせ接続具に装飾品を組み合わせたネックレス、ブレスレットが、健康に対して良好であったことからブームと成り普及に弾みをつけた。
【実用新案文献１】
登録実用新案３０２１２２５号
【０００３】  従前より、磁石を肌に密着させると、血行の促進に効果があることが知られている。この特性を利用して、粒状磁石を絆創膏で、首や肩などに貼り付け、凝りを緩和させたり、装身具などに直接磁石を埋め込んだりして使用する発明も開示されている。
【０００４】  従前より、金乃至銀、またはプラチナなど、貴金属と遠赤外線を放射するセラミックス乃至鉱石を組み合わせ形成された装身具が知られている。この装身具は肌に直接触れるように使用して、身体の血行を増進しようとするものである。
【０００５】  磁石を組み込んだ磁気装身具は、多種多様な商品が開発されており、１つの例として腕時計のバンドのように金属を多数連結させて形成し、それらが直接肌に触れるため動くたびに違和感があった、それらは金属片に永久磁石を埋設あるいは磁界を以って着磁させたり、彫金嵌合乃至鍍金加工を施し高価なものとなると共に磁力を身体に附与するのみのものであった。
【０００６】  又は、２個の磁石を金属リングに取り付けたものであって、美しく見せる。為に彫金嵌合乃至鍍金または塗装されていた。
【０００７】  装身具に彫金嵌合乃至鍍金したものは表面が金乃至銀、又はプラチナなどの金属であり、肌の弱い特異体質の人々に対しては金属アレルギーによる皮膚炎などの症状を引き起こすことがあった。
【０００８】  焼結合金の磁石を用いるため磁束保持力が弱く磁力の持続性が無く磁気効果が低下しやすかった。さらに磁気が肌にあたるのは局所的であり、その効果も局所的で十分な効果が得られなかった。
【考案の開示】
【考案が解決しようとする課題】
【０００９】  従前の健康磁気装身具のように金属が、直接肌に触れることがなく、したがって金属アレルギーを起こすことを無くすことができる。当該装身具を手首乃至足首に直接肌に接触させて装用しても皮膚炎などの症状が現れるおそれがなく、その持続性の高い磁気装身具を得ようとするものである。【００１０】  これから塗装したものは別として、彫金嵌合乃至鍍金したものは表面が金、又はプラチナなどの金属であり、皮膚の弱い特異体質の人々に対しては金属アレルギー症状を引き起こすこともあり、また焼結合金の磁石を用いるため磁束保持力が弱く磁力の持続性が無く磁気効果が低下しやすかった。また磁気が肌に当たるのは局所的であり、その効果も局所的で十分な効果が得られなかった。【００１１】  また磁力を適度の強さとし、また一様に近い磁気が連続して肌に当たるようにすることと、磁性体の選択も必要不可欠で希土類磁石ほか発現する機能性イオン効果も含め磁力の効能を更に向上することを目的とする。【００１２】  よって本考案はこれらの問題点を解決する為になされたものであって、その目的は金属アレルギーの発生を抑え、持続性の高い磁気装身具乃至恒常性維持機能および健康増進機能を有する製品を得ようとするものである。
【課題を解決するための手段】
【００１３】  自然環境での最良と言われている、森林・川辺・滝壷の周辺に於ける約５００〜３０００個のネガティブイオンが存在していることから、自然環境と同等にすることは理想的な環境数値といえる。【００１４】  本考案は、リング状に成型した組成体を、その芯方向と直交する方向であって磁極の配列が芯と平行に又は芯を中心に螺旋状になるように着磁し、表面磁束に於いて約１０〜１００ｍＴ均等である事と約５００〜３０００粒ネガティブイオン放出することを特徴とする。
【考案の効果】
【００１５】  本考案は、前述したような構成になっており、リング状シリコンゴム磁石にして、その成分組成がサマリウムコバルト系乃至フェライト系若しくは希土類プラス、フェライトのハイブリット磁石を特徴とする組成体を、リング状にしたから従前品のような金属が直接肌に触れることがなく、したがって金属アレルギーを引き起こすことを無くすことができる。また、自然環境での最良と言われている、森林・川辺・滝壷の周辺に於ける約５００〜３０００個のネガティブイオンが存在していることから自然環境と同等で理想的な環境数値といえる。磁力を適度の強さとし、また一様に近い磁気が連続して肌に当たるようにしたので、機能性イオン効果も含め、磁力の効能を更に向上することができることを奏する。
【考案の実施するための最良の形態】
【００１６】  本考案は、リング状シリコンゴム磁石にして、その成分組成がサマリウムコバルト系乃至フェライト系若しくは希土類プラス、フェライトのハイブリット磁石を特徴とする組成体を、リング状ゴム磁石にして従来の健康磁気装身具のような金属が、直接肌に触れることがなく、したがって金属アレルギーを起こすことを無くすことができる。
【００１７】  また、磁力を適度の強さとし、また一様に近い磁気が連続して肌に当たるようにしたので、機能性イオン効果も含め、磁力の効能を更に向上することができる。
【００１８】  法規制レベル３７０ベクレル／ｇ以内の制定された安全基準を厳守し、無機ゲルマニウム乃至ラジウム乃至トリウムほかセレニウム、、成分組成の最も主要な特徴としたことで、無機ゲルマニウム乃至ラジウム乃至トリウムほかセレニウム、より産生する微量放射線ホルミシスは、生体を刺激し各種ホルモンの分泌を促し、生体機能の増進や細胞賦活作用をもち恒常性維持機能ホメオスターシスを増進させる働きがあるので、したがって、機能性イオン効果も含め磁気装身具の効能をさらに、向上することができる。
【００１９】  自然環境での最良と言われている、森林・川辺・滝壷の周辺に於ける約５００〜３０００個のネガティブイオンが存在している事からそれと同等の発生量とすることが望ましい。最良の自然環境と同等で理想的な環境数値といえることを特徴とする。
【００２０】  使用するときは、手首乃至足首にリング状に成形された機能性シリコンゴム磁石を拡げて、手首乃至足首に装着される。
【実施例】
【００２１】  斯かる目的を達成した本考案の一実施例である。下記の例によって本考案が実施例だけに限定されるものではない。【００２２】  以下、添付図面に従って一実施例を説明する。図１の（１）はリング状にプレス成型されたシリコンゴム磁石の外観斜視図であり、（２）はリング状にプレス成型されたシリコンゴム磁石装身具の水平図である。断面は円形乃至楕円形である。本考案は、従前の健康磁気装身具のような直接肌に、金属が触れることがなく、したがって金属アレルギーを起こすことを無くすことができる。また、磁力を適度の強さとし、また一様に近い磁気が連続して肌に当たるようにしたので、機能性イオン効果も含め、磁力の効能を更に向上することができる。使用は、機能性シリコンゴム磁石を拡げて手首乃至足首に装着する。【００２３】  この製品は、法規制レベル３７０ベクレル／ｇ以内の制定された安全基準を厳守し、成分組成である無機ゲルマニウム乃至ラジウム乃至トリウムほかセレニウム、より産生する微量放射線ホルミシスは、生体を刺激し各種ホルモンの分泌を促し、生体機能の増進や細胞賦活作用をもち恒常性維持機能ホメオスターシスを増進させる働きがあるので、機能性イオン効果も含め磁気装身具の効能をさらに、向上することができる。さらに、自然環境での最良と言われている、森林・川辺・滝壷の周辺に於ける約５００〜３０００個のネガティブイオンが存在している。前述した、それと同等の発生量としたので理想的な環境数値といえることを特徴とした。図２の（ａ）は、靴底用パッドで左右両用である（ｂ）は、乳パッドで左右両用である（ｃ）は、肩パッドで左右両用である、適宜これを使用する。
【図面の簡単な説明】
【００２３】
【図１】  本考案１実施例の機能性シリコンゴム磁石装身具。
【図１】  本考案１実施例のシリコンゴム磁石装身具。（１）リング状に成型されたシリコンゴム磁石の外観斜視図。（２）１実施例の磁気装身具の正面図。
【図２】  本考案２実施例のシリコンゴム磁石装用具。（ａ）靴底用パッド（ｂ）乳パッド（ｃ）肩パッド
【図１】
0003111761.tif 000003
【図２】
0003111761.tif 000004